(57)【要約】【課題】消しゴムを複数の消しゴムからなるブロックで構成し、該ブロックを着脱自在かつ回転可能に積層結合して取付け、各々のブロックを筆記具の軸筒を回転中心として回動させることにより、外形形状の変化を楽しむことができる消しゴムを提供する。【解決手段】一定の厚みを有した平板状の消しゴムからなる複数のブロックを形成する。各々のブロックに、各々のブロックの形状を合わせて積層した際に連続した円形状の嵌合孔となるように厚み方向に嵌合孔を形成する。該係合孔に回転可能にかつ着脱自在に嵌合する回転軸部材を挿入して複数のブロックを積層結合する。または、各々のブロックの厚み方向の一方の表面に突出代がブロックの厚みより小さい回転軸部を形成し、反対側の裏面には前記回転軸部を嵌合可能な嵌合孔部を形成する。一方のブロックの前記回転軸部と他方のブロックの嵌合孔部とを嵌合してに複数のブロックを積層結合する。【選択図】図５
2006289761.tif 000002
【特許請求の範囲】
【請求項１】
消しゴムからなる一定の厚みを有した複数のブロックを形成し、該複数のブロックの各々に、積層した際に連通した１つの円形状の嵌合孔となるように厚み方向に嵌合孔を形成し、該係合孔に前記各々のブロックが回転可能にかつ着脱自在に嵌合する回転軸部材を挿入して、複数のブロックを厚み方向に積層結合してなる消しゴム。
【請求項２】
消しゴムからなる一定の厚みを有した複数のブロックを形成し、該複数のブロックの各々に、厚み方向の一方の表面に突出代が複数のブロックの厚みより小さい回転軸部を形成し、反対側の裏面に前記回転軸部を嵌合可能な嵌合孔部を形成し、一方のブロックの前記回転軸部と他方のブロックの嵌合孔部とを嵌合して、着脱自在かつ回転可能に複数のブロックを厚み方向に積層結合してなる消しゴム。
【請求項３】
請求項１または２項に記載の消しゴムセットにおいて、前記複数のブロックは、複数の種類の消しゴムから形成されていることを特徴とする消しゴム。
【発明の詳細な説明】
【技術分野】
【０００１】
本発明は、消しゴムからなる一定の厚みを有した複数のブロックを、積層結合した消しゴムに関する。
【背景技術】
【０００２】
従来から、機能あるいは用途別に様々な消しゴムが提供されている。例えば鉛筆芯の筆跡を消去するために天然或いは合成ゴムを原料とした一般的な「消しゴム」、インクの筆跡を消去するために天然或いは合成ゴムに研磨剤を添加してなる「砂消しゴム」、紙面等に張り付いた修正テープを剥がすための加硫ゴムなどからなる「修正テープ剥がし具」等がある。
【０００３】
また、消しゴムを玩具化したものとして、消しゴムを基に様々な形状に形成し様々な色彩を施した複数のブロック（例えば断面を四角形状や多角形状とした平板状のブロック）を、平面的に組み合わせることにより適宜の平面形状に形成できるパズル状のものや植物や動物等の形状に擬態可能な消しゴムが提供されている。または、ブロックを立体的な動物や乗物等を構成するパーツに形成し、それらのブロックを組み合わせることで立体的な動物や乗物等の形状に形成可能な消しゴムが提供されている。
【０００４】
前者の平面形状的な消しゴムでは、複数のブロックを隣接させるだけで、ブロック同士は結合していない。従って、携帯する際は複数のブロックを個々に筆箱等に収納して持ち運ぶことになり、ブロックの一部を紛失してしまう恐れがある。携帯性に問題がある。さらに、後者の立体形状の消しゴムも同様であるが、実際に消しゴムとして使用すると、使用した部分は磨耗して形状が変化してしまう。元の形状に戻すには磨耗したパーツ部分のブロックを交換すればよいが、購入時点ではそうした代替ブロックは付属されておらず、新たに全体を購入しなければならない。実際の使用に即したものではない。従来、こうした玩具的要素を持った消しゴムは、趣向品としての要素が高く、展示して保管しておくもので、消しゴムとして使用することを前提に考えられていない。携帯性や消しゴムとしての使い勝手を考慮していないのが現状である。
【０００５】
本発明者はこうした事実に鑑み、玩具的要素を持ち、携帯性が良くかつ消しゴムとしての使い勝手の良い消しゴムを提供することを思い立った。消しゴムを複数のブロックで構成した際にその携帯性を良くするには、複数のブロックを結合させることが必要となる。
【０００６】
従来、複数のブロックを結合させる技術として、実開昭６２−８０６９３号公報により「重合消しゴム」が提案されている。その考案は、２つの直方体状のブロックを着脱自在に嵌合結合して、１つの直方体に組み立てるもので、２個のブロックを蟻結合で重合するというものである。
【特許文献１】実開昭６２−８０６９３号公報
【発明の開示】
【発明が解決しようとする課題】
【０００７】
前記考案の技術においては、ブロックをスライドすることにより消しゴムとしての全体的な形状の変化はあるが、重合した際の直方体形状からスライドした際の２つの連接してた方形状の形状に変化するだけで、形状の変化を楽しめるというものではない。
【０００８】
本発明者はこうした事実に鑑み、消しゴムを複数のブロックで構成し、該複数のブロックを着脱自在かつ回転可能に積層結合して取付け、各々のブロックを回転させることにより複数のブロックで形成される全体形状を様々な形状に変化させて楽しむことができる消しゴムを提供することである。
【課題を解決するための手段】
【０００９】
本発明は、
「１．消しゴムからなる一定の厚みを有した複数のブロックを形成し、該複数のブロックの各々に、積層した際に連通した１つの円形状の嵌合孔となるように厚み方向に嵌合孔を形成し、該係合孔に前記各々のブロックが回転可能にかつ着脱自在に嵌合する回転軸部材を挿入して、複数のブロックを厚み方向に積層結合してなる消しゴム。
２．消しゴムからなる一定の厚みを有した複数のブロックを形成し、該複数のブロックの各々に、厚み方向の一方の表面に突出代が複数のブロックの厚みより小さい回転軸部を形成し、反対側の裏面に前記回転軸部を嵌合可能な嵌合孔部を形成し、一方のブロックの前記回転軸部と他方のブロックの嵌合孔部とを嵌合して、着脱自在かつ回転可能に複数のブロックを厚み方向に積層結合してなる消しゴム。
３．１項または２項に記載の消しゴムセットにおいて、前記複数のブロックは、複数の種類の消しゴムから形成されていることを特徴とする消しゴム。」
である。
【００１０】
本発明の消しゴムにおける複数のブロックは、前記ブロックが積層結合した一定の厚みを有したものであれば良く、厚み方向の表裏面が厚み方向の軸に対して傾斜していなければ、波状に形成されていてもかまわない。また、各々のブロックの色彩及び／又は素材である消しゴムの種類が同一であっても良いし、各々異なっていても良い。またさらに、各々のブロックの厚さも、同一であっても良いし、各々異なっていても良い。
【００１１】
本発明の請求項１に係る発明では、各々のブロックを形状を合わせて積層した際に連続した円形状の嵌合孔となるように厚み方向に嵌合孔を形成するが、積層した際に両端に位置するブロック以外は、嵌合孔は貫通して形成する必要があるが、積層した両端のブロックに関しては、嵌合孔は貫通せずに凹溝状でかまわない。
【００１２】
本発明の請求項２に係る発明では、各々の該各々のブロックの厚み方向の一方の表面に回転軸部を形成し、反対側の裏面に前記回転軸部を嵌合可能な嵌合孔部を形成するが、前記嵌合孔部は、ブロックの前記表裏面を貫通したものでも良いし、貫通せずに凹溝状でもかまわないが、好ましくはデザイン性の点から凹溝状が良い。
【発明の効果】
【００１３】
請求項１に係る発明では、消しゴムを構成する複数のブロックの各々に、円形状の嵌合孔を形成して、該嵌合孔に回転軸部材を挿入して複数のブロックを積層結合するので、また、請求項２に係る発明では、消しゴムを構成する複数のブロックの各々に、厚み方向の一方の表面に回転軸部を形成し、反対側の裏面に前記突部を嵌合可能な嵌合孔部を形成して、一方のブロックの前記回転軸部と、他方のブロックの嵌合孔部とを嵌合させることで複数のブロックを積層結合するので、容易に複数のブロックを積層結合したり取り外したりすることができる。また、消しゴムとして使用して一部のブロックが磨耗しても、新たなブロックに交換して同様に組立てることができる。また、前記回転軸部材を回転軸として各々のブロックを回転することができるので、複数のブロックで形成される全体形状を様々な形状に変化させて楽しめる玩具的な要素をもたせることができる。また、携帯時においては、各々のブロックを回転して形状を合わせた状態で積層することで、嵩張らずに筆箱等に収納することができる。
【００１４】
請求項３に係る発明では、複数のブロックが複数の種類の消しゴムから形成されているので、例えば、砂消しゴムによりインクの筆跡を消去することが、または加硫ゴムなどからなる修正テープ剥がし用消しゴムにより紙面等に張り付いた修正テープを剥がすことができ、利便性が高まる。
【発明を実施するための最良の形態】
【００１５】
本発明は、一定の厚みを有した複数の消しゴムからなるブロックを、各々のブロックが回転可能に回転軸となる回転軸部、または各々のブロックに形成した回転軸部を他のブロックに形成した嵌合孔部に嵌合することで、前記回転軸部を回転軸として積層、結合した消しゴムである。結合した各々のブロックが容易に結合が外れないようにするには、各々のブロックは消しゴムなので、天然あるいは合成ゴムを原料としているので弾力性を有しており、嵌合孔部の径を回転軸部あるいは回転軸部の外径より若干小径にすれば、容易に外れることがない。
【００１６】
本発明の消しゴムセットについて、以下図面を用いて説明するが、同じ部材、同じ箇所を示すものには同じ符号を付してある。また、実施例の消しゴムは、３つのブロックで構成されている場合について説明するが、本発明はこれに限定されるものではない。
【実施例１】
【００１７】
図１〜図１２は、請求項１に係る発明の消しゴムにおける実施例を示し、図１〜図５は、実施例１の消しゴム１を示すもので、図１は実施例１の消しゴム示す斜視図であり、図２は、その消しゴムの縦断面図である。図３は、その消しゴムを構成するブロックの斜視図である。図４は、積層したブロックを結合するための回転軸部の斜視図である。図５は、実施例１の消しゴムの積層結合した各々のブロックを回転させた状態を示す平面図である。
【００１８】
実施例１の消しゴム１は、図３に示すように、厚み方向の表裏面２、３が長方形状の一定の厚みを有した平板状で、天然或いは合成ゴムを原料とした一般的な鉛筆芯の筆跡を消去するための消しゴムからなるブロック４で構成されている。ブロック４の前記表裏面２、３の中心部には表裏面２、３を貫通する、円形状の嵌合孔５を形成してある。
【００１９】
実施例１の消しゴム１は、同形状の３つのブロック４ａ、４ｂ、４ｃを厚み方向に積層し、前記各々のブロック４ａ、４ｂ、４ｃに形成した各々の嵌合孔５ａ、５ｂ、５ｃを連続した１つの嵌合孔５とし、該嵌合孔５ａ、５ｂ、５ｃに嵌合孔より若干大径で、ブロック４ａ、４ｂ、４ｃを積層した際の厚さと略同様の長さを有した回転軸部材６を挿入して結合してある。従って、各々のブロック４ａ、４ｂ、４ｃは、前記回転軸部材６を回転軸として回転可能となっており、各々のブロック４ａ、４ｂ、４ｃを回転することにより、図５に示すような形状に変化する。
【００２０】
実施例１の消しゴム１では、３つの前記ブロック４ａ、４ｂ、４ｃを同形状としてあり、各々のブロック４ａ、４ｂ、４ｃに形成した嵌合孔５ａ、５ｂ、５ｃは厚み方向に貫通している。そのために、積層した両側のブロック４ａ、４ｃでは、嵌合孔５ａ、５ｃ及び前記回転軸部材６が外方に露出してしまう。各々のブロック４ａ、４ｂ、４ｃと回転軸部材６の色彩を相違させることにより、そのことが本発明の消しゴムにおける全体形状としてのアクセントとなるが、露出することを好まないのであれば、積層した際に外方に露出する両端側のブロック４ｄ、４ｅに形成する嵌合孔を、図６に示すように凹溝状の嵌合孔７ｄ、７ｅに形成すると良い。当然、前記回転軸部材は短寸の回転部材８となる。
【実施例２】
【００２１】
請求項１に係る発明の消しゴムにおけるブロックの形状は特に限定されるものではなく、図７及び図８は実施例２の消しゴムを示し、実施例１におけるブロックと形状が相違したものである。図７は実施例２の消しゴムを構成するブロックを表す斜視図であり、図８は実施例２の消しゴムの積層結合した各々のブロックを回転させた状態を示す平面図である。
【００２２】
実施例２のブロック２４は、厚み方向の表裏面２２、２３を星形形状とした以外は第１の実施例における消しゴム１のブロック４と同様に形成してあり、実施例２の消しゴム２１は、同形状に形成された３つのブロック２４ａ、２４ｂ、２４ｃで構成されている。ブロック２４の前記表裏面２２、２３の中心部には、実施例１におけるブロック４と同様に嵌合孔５を形成してあり、３つのブロック２４ａ、２４ｂ、２４ｃを積層して、回転軸部材６を介して結合してある。従って、各々のブロック２４ａ、２４ｂ、２４ｃは、前記回転軸部材６を回転軸として回転可能となっており、各々のブロック２４ａ、２４ｂ、２４ｃを回転することにより、図８に示すような形状に変化する。
【実施例３】
【００２３】
図９及び図１０は実施例３の消しゴムを示し、実施例１におけるブロックの形状と相違したものである。図９は、実施例３の消しゴムを構成するブロックを表す斜視図であり、図１０は実施例３の消しゴムの積層結合した各々のブロックを回転させた状態を示す平面図である。
【００２４】
実施例３ブロック３４は、厚み方向の表裏面３２、３３を扇形形状とした以外は実施例１における消しゴム１のブロック４と同様に形成してあり、実施例３の消しゴム３１は、同形状に形成された３つのブロック３４ａ、３４ｂ、３４ｃで構成されている。ブロック３３の前記表裏面３２、３３の径方向の中間部には嵌合孔５を形成してあり、３つのブロック３４ａ、３４ｂ、３４ｃを積層して、回転軸部６材を介して結合してある。従って、各々のブロック３４ａ、３４ｂ、３４ｃは、前記回転軸部材６を回転軸として回転可能となっており、各々のブロック３４ａ、３４ｂ、３４ｃを回転することにより、図１０に示すような形状に変化する。
【実施例４】
【００２５】
図１１及び図１２は実施例４の消しゴムを示し、実施例１におけるブロックの形状と相違したものである。図１１は実施例４の消しゴムを構成するブロックを表す斜視図であり、図１２は実施例４の消しゴムの積層結合した各々のブロックを回転させた状態を示す平面図である。
【００２６】
実施例４のブロック４４は、厚み方向の表裏面４２、４３を円形形状とし、嵌合孔５を円形形状の中心点より周縁部４５側に変位した位置に形成した以外は第１の実施例における消しゴム１のブロック４と同様に形成してあり、実施例４の消しゴム４１は、同形状に形成された３つのブロック４４で構成されている。実施例１の消しゴム１と同様に、３つのブロック４４ａ、４４ｂ、４４ｃを積層して、回転軸部材６を介して結合してある。従って、各々のブロック４４ａ、４４ｂ、４４ｃは、前記回転軸部材６を回転軸として回転可能となっており、各々のブロック４４ａ、４４ｂ、４４ｃを回転することにより、図１２に示すような形状に変化する。
【実施例５】
【００２７】
図１３〜図１７は、請求項２に係る発明の消しゴムにおける実施例を示す。
図１３〜図１５は実施例５の消しゴムを示し、図１３は実施例５の消しゴムを構成するブロックを表す斜視図であり、図１４はそのブロックの縦断面図である。図１５は、実施例５の消しゴムの積層結合した各々のブロックを回転させた状態を示す縦断面図である。
【００２８】
実施例５のブロック５４は、実施例１におけるブロック４と同様の厚み方向の表裏面５２、５３が長方形形状の一定の厚みを有した平板状のブロック５４で構成されている。ブロック５４の厚み方向の一方の表面５２の長方形の一方の短辺側の部分５５には、突出代Ｈがブロック５４の厚みＴより小さい円柱状の回転軸部５６を形成してあり、他方の裏面５３の前記短辺側と対向する短辺側と反対側の短辺側の部分５７には、前記回転軸部５６を嵌合可能な深さＬが前記突出代Ｈより短寸である凹状で円形状の嵌合孔部５８を形成してある。
【００２９】
実施例５の消しゴム５１は、同形状に形成された３つのブロック５４ａ、５４ｂ、５４ｃで構成され、ブロック５４ｃとブロック５４ｂを、ブロック５４ｃの回転軸部５６ｃとブロック５４ｂの嵌合孔部５８ｂを嵌合して結合し、次に、ブロック５４ａとブロック５４ｂを、ブロック５４ｂの回転軸部５６ｂとブロック５４ａの嵌合孔部５８ａを嵌合して結合し、ブロック５４ａ、５４ｂ、５４ｃを積層結合してある。各々のブロック５４ａ、５４ｂ、５４ｃは、一方のブロックの前記回転軸部と他方のブロックの嵌合孔部との嵌合して積層結合してあるので、着脱自在かつ回転可能となっている。各々のブロック５４ａ、５４ｂ、５４ｃを回転することにより、図１５に示すような形状に変化する。
【実施例６】
【００３０】
図１６及び図１７は実施例６の消しゴムを示し、図１６は実施例６の消しゴムを構成するブロックの縦断面図であり、図１７は実施例６の消しゴムの積層結合した各々のブロックを回転させた状態を示す縦断面図である。
【００３１】
第６の実施例の消しゴム６１は、第５の実施例における消しゴム５１と同形状のブロック６４からなり、ブロック６４の厚み方向の一方の表面６２の長方形の一方の短辺側の部分６５には、突出代Ｈがブロック６４の厚みＴより小さい円柱状の回転軸部６６を形成してある。ブロック５４の厚み方向の他方の裏面６３には、前記回転軸部６６とブロックの厚み方向に対して一直線上となるように、前記回転軸部６６を嵌合可能な深さがＬが前記突出代Ｈより短寸である凹状で円形状の嵌合孔部６７を形成してある。
【００３２】
第６の実施例の消しゴム６１は、同形状に形成された３つのブロック６４ａ、６４ｂ、６４ｃで構成され、ブロック６４ａとブロック６４ｂを、ブロック６４ｂの回転軸部６６ｂとブロック６４ａの嵌合孔部６７ａを嵌合して結合し、次に、ブロック６４ｂとブロック６４ｃを、ブロック６４ｃの回転軸部６６ｃとブロック６４ｂの嵌合孔部６７ｂを嵌合して結合して、ブロック６４ａ、６４ｂ、６４ｃを積層結合してある。各々のブロック６４ａ、６４ｂ、６４ｃは、一方のブロックの前記回転軸部と他方のブロックの嵌合孔部とを嵌合して積層結合してあるので、着脱自在かつ回転可能となっている。各々のブロック６４ａ、６４ｂ、６４ｃを回転することにより、図１７に示すような形状に変化する。
【００３３】
第１〜第６の実施例の消しゴムを構成する各ブロック４、２４、３４、４４、５４、６４は、鉛筆芯の筆跡を消去するための天然或いは合成ゴムを原料とした一般的な消しゴムとしたが、こすることで摩耗する素材であれば如何なるものでもよく、例えば、砂消しゴム、修正テープ剥がし具などでも良い。各ブロックが複数の種類の消しゴムから形成されていれば、各種類の消しゴムを個別に携帯しなくとも、積層結合した状態で携帯することができ、携帯性、利便性が高まることになる。
また、複数のブ各ブロック４、２４、３４、４４、５４、６４の各々のブロックの色彩もそれぞれは、同一色でなくとも異色であっても構わない。
【産業上の利用可能性】
【００３４】
消しゴムを構成する各ブロックが複数の種類の消しゴムから形成されていれば、各種類の消しゴムを個別に携帯しなくとも、筆記具の軸筒に連接して取付けた状態で携帯することができ、携帯性、利便性が高まることになる。
【図面の簡単な説明】
【００３５】
【図１】請求項１に係る発明の第１の実施例の消しゴム示す斜視図である。
【図２】第１の実施例の消しゴムの縦断面図である。
【図３】第１の実施例の消しゴムを構成するブロックの斜視図である。
【図４】第１の実施例の消しゴムにおいて、積層したブロックを結合するための回転軸部の斜視図である。
【図５】第１の実施例の消しゴムにおいて、積層結合した各々のブロックを回転させた状態を示す平面図である。
【図６】第１の実施例の消しゴムにおいて、ブロックに形成する嵌合孔の他の実施例を示した消しゴムの縦断面図である。
【図７】第２の実施例の消しゴムを構成するブロックを表す斜視図である。
【図８】第２の実施例の消しゴムの積層結合した各々のブロックを回転させた状態を示す平面図である。
【図９】第３の実施例の消しゴムを構成するブロックを表す斜視図である。
【図１０】第３の実施例の消しゴムの積層結合した各々のブロックを回転させた状態を示す平面図である。
【図１１】第４の実施例の消しゴムを構成するブロックを表す斜視図である。
【図１２】第４の実施例の消しゴムの積層結合した各々のブロックを回転させた状態を示す平面図である。
【図１３】第５の実施例の消しゴムを構成するブロックを表す斜視図である。
【図１４】第５の実施例の消しゴムを構成するブロックの縦断面図である。
【図１５】第５の実施例の消しゴムの積層結合した各々のブロックを回転させた状態を示す縦断面図である。
【図１６】第６の実施例の消しゴムを構成するブロックの縦断面図である。
【図１７】第６の実施例の消しゴムの積層結合した各々のブロックを回転させた状態を示す縦断面図である。
【符号の説明】
【００３６】
１、２１、３１、４１、５１、６１    消しゴム
２、２２、３２、４２、５２、６２    表面
３、２３、３３、４３、５３、６３    裏面
４、２４、３４、４４、５４、６４    ブロック
５    嵌合孔
６    回転軸部
５６、６６    回転軸部
５８、６７    嵌合孔部
Ｈ    回転軸部の突出代
Ｔ    ブロックの厚み
Ｌ    嵌合孔部の深さ
【図１】
2006289761.tif 000003
【図２】
2006289761.tif 000004
【図３】
2006289761.tif 000005
【図４】
2006289761.tif 000006
【図５】
2006289761.tif 000007
【図６】
2006289761.tif 000008
【図７】
2006289761.tif 000009
【図８】
2006289761.tif 000010
【図９】
2006289761.tif 000011
【図１０】
2006289761.tif 000012
【図１１】
2006289761.tif 000013
【図１２】
2006289761.tif 000014
【図１３】
2006289761.tif 000015
【図１４】
2006289761.tif 000016
【図１５】
2006289761.tif 000017
【図１６】
2006289761.tif 000018
【図１７】
2006289761.tif 000019